【手続補正書】
【提出日】平成16年12月1日(2004.12.1)
【手続補正１】
【補正対象書類名】明細書
【補正対象項目名】発明の名称
【補正方法】変更
【補正の内容】
【発明の名称】番組送受信システム、ＣＭ情報管理サイト、番組送受信方法、番組送受信プログラム、当該プログラムを記録したコンピュータ読み取り可能な記録媒体、視聴者端末装置及び有料番組サイト
【手続補正２】
【補正対象書類名】明細書
【補正対象項目名】特許請求の範囲
【補正方法】変更
【補正の内容】
【特許請求の範囲】
【請求項１】
有料番組にＣＭを挿入して、視聴者端末装置にＣＭ付有料番組を送信する番組送受信システムであって、
有料番組を提供する有料番組サイトと、
ネットワーク上に存在し、各視聴者端末装置の要求に応じて有料番組の一覧表を提示し、前記有料番組サイトから視聴者端末装置で指定された有料番組の提供を受け、ＣＭを挿入したＣＭ付有料番組を要求元の視聴者端末装置に送信するＣＭ情報管理サイトと、
前記ＣＭ情報管理サイトに有料番組の一覧表を要求し、有料番組の一覧表に含まれる有料番組を指定して当該ＣＭ情報管理サイトに要求し、ＣＭ付有料番組を受信して再生する複数の視聴者端末装置とを備えることを特徴とする番組送受信システム。
【請求項２】
ネットワーク上に存在するＣＭ情報管理サイトであって、
有料番組の番組識別子を列記した番組一覧表を記憶する番組一覧表記憶手段と、
複数のＣＭを記憶しているＣＭ記憶手段と、
各視聴者端末装置から番組一覧表の送信要求を受信すると、前記番組一覧表記憶手段から番組一覧表を読み出し、要求元の視聴者端末装置に送信する番組一覧表送信手段と、
各視聴者端末装置から前記番組一覧表に記載の番組識別子を指定した有料番組の送信要求を受信する送信要求受信手段と、
有料番組サイトに送信要求された有料番組の送信要求をする有料番組送信要求手段と、
前記有料番組サイトから有料番組を受信する受信手段と、
受信した有料番組に前記ＣＭ記憶手段に記憶されている１以上のＣＭを読み出し、有料番組に挿入したＣＭ付有料番組を編集する編集手段と、
ＣＭ付有料番組を要求元の視聴者端末装置に送信する送信手段とを備えることを特徴とするＣＭ情報管理サイト。
【請求項３】
各有料番組、各ＣＭ毎に送信した有料番組数とＣＭ数とを累計する送信数計数手段と、
有料番組に挿入可能な前記ＣＭ記憶手段に記憶されているＣＭのＣＭ識別子を列記したＣＭ一覧表を記憶しているＣＭ一覧表記憶手段とを更に備え、
前記番組一覧表送信手段は、番組一覧表を読み出すとともに前記ＣＭ一覧表記憶手段からＣＭ一覧表を読み出し、番組一覧表とともにＣＭ一覧表を要求元の視聴者端末装置に送信し、
前記送信要求受信手段は、番組名の指定とともに前記ＣＭ一覧表から選択された選択ＣＭ識別子も受信し、
前記編集手段は、前記送信要求受信手段で受信された選択ＣＭ識別子のＣＭを前記ＣＭ記憶手段から読み出し、有料番組に挿入したＣＭ付有料番組を編集することを特徴とする請求項２記載のＣＭ情報管理サイト。
【請求項４】
前記ＣＭ一覧表記憶手段には、ＣＭ識別子に対応して、ＣＭの選択で与えられるポイント数が記録されていることを特徴とする請求項３記載のＣＭ情報管理サイト。
【請求項５】
各ＣＭの単位ポイント当りの基本料金と当該ＣＭに対応したポイント数と、当該ＣＭの送信されたＣＭ数とに応じた広告料金を計算する広告料金計算手段を更に備えることを特徴とする請求項４記載のＣＭ情報管理サイト。
【請求項６】
前記ＣＭ一覧表記憶手段には、ＣＭ識別子に対応してＣＭの内容を示唆する付加情報が記憶されていることを特徴とする請求項３記載のＣＭ情報管理サイト。
【請求項７】
前記送信要求受信手段で受信された選択ＣＭ識別子に従い、各ＣＭがＣＭ全体で選択されたＣＭ選択割合を計算するＣＭ選択割合計算手段を更に備え、
このＣＭ選択割合は、ＣＭを提供している広告主に報告されることを特徴とする請求項３記載のＣＭ情報管理サイト。
【請求項８】
更に、ネットワーク上に他のＣＭ情報管理サイトが存在し、
前記番組一覧表送信手段は、
各視聴者端末装置から受信した番組一覧表の送信要求が所定数を超えると、番組一覧表の送信に替え、他のＣＭ情報管理サイトの識別情報を要求元の視聴者端末装置に送信する要求分散部を有することを特徴とする請求項２記載のＣＭ情報管理サイト。
【請求項９】
各有料番組の送信１回当りの使用料と送信された当該有料番組数とに応じた番組使用料を、各ＣＭの送信１回当りの広告料と送信された当該ＣＭ数とに応じた広告料をそれぞれ計算する料金計算手段を更に備えることを特徴とする請求項３記載のＣＭ情報管理サイト。
【請求項１０】
前記編集手段は、
前記有料番組の識別情報と、有料番組に挿入したＣＭ毎の識別情報とそのＣＭ数とをＣＭ付有料番組のヘッダ情報として生成するヘッダ情報生成部を有し、
前記送信数計数手段は、
前記送信手段で送信されるＣＭ付有料番組のヘッダ情報を読み出すヘッダ情報読出部と、
読み出した各識別情報毎の有料番組数とＣＭ数とを累計する累計部とを有することを特徴とする請求項３記載のＣＭ情報管理サイト。
【請求項１１】
ネットワーク上に存在するＣＭ情報管理サイトであって、
有料番組サイトに番組名を含む認証情報を送信する認証情報送信手段と、
前記有料番組サイトから認証許可通知と有料番組とを、又は、認証拒否通知を受信する受信手段と、
受信された有料番組を記憶する有料番組記憶手段と、
記憶された有料番組にＣＭを挿入したＣＭ付有料番組を編集する編集手段と、
編集されたＣＭ付有料番組を要求元の視聴者端末装置に送信するＣＭ付有料番組送信手段とを備えることを特徴とするＣＭ情報管理サイト。
【請求項１２】
前記ＣＭ付有料番組送信手段でＣＭ付有料番組が視聴者端末装置に送信された直後に、前記有料番組記憶手段に記憶されている有料番組及びＣＭ付有料番組を消去する消去手段を更に備えることを特徴とする請求項１１記載のＣＭ情報管理サイト。
【請求項１３】
前記認証情報には、配信形態を含み、
前記配信形態は、視聴者端末装置の機器の種類により決定され、
前記ＣＭ付有料番組送信手段は、配信形態に従い要求元の視聴者端末装置にＣＭ付有料番組を送信することを特徴とする請求項１１記載のＣＭ情報管理サイト。
【請求項１４】
有料番組にＣＭを挿入して、視聴者端末装置にＣＭ付有料番組を送信するＣＭ情報管理サイトの番組送受信方法であって、
視聴者端末装置から有料番組の番組名を列記した有料番組一覧表の送信要求を受信する有料番組一覧表要求受信ステップと、
要求元の視聴者端末装置に有料番組一覧表を送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップとを有することを特徴とする番組送受信方法。
【請求項１５】
前記有料番組一覧表送信ステップにおいて、有料番組一覧表の送信とともに、有料番組に挿入可能なＣＭ識別子と当該ＣＭ識別子に対応してＣＭの選択で与えられるポイント数とを列記したＣＭ一覧表を送信し、
前記番組要求受信ステップにおいて、番組要求とともに選択された選択ＣＭ識別子を受信し、
前記ＣＭ挿入ステップにおいて、有料番組に選択ＣＭ識別子で識別されるＣＭを挿入し、
各ＣＭ毎に送信したＣＭ数を累計する送信数計数ステップと、
各ＣＭの単位ポイント当りの基本料金と当該ＣＭに対応したポイント数と、当該ＣＭの送信されたＣＭ数とに応じた広告料金を計算する広告料金計算ステップとを更に有することを特徴とする請求項１４記載の番組送受信方法。
【請求項１６】
前記有料番組一覧表送信ステップにおいて、有料番組一覧表の送信とともに、有料番組に挿入可能なＣＭ識別子を列記したＣＭ一覧表を送信し、
前記番組要求受信ステップにおいて番組要求とともに選択された選択ＣＭ識別子を受信し、
前記ＣＭ挿入ステップにおいて、有料番組に選択ＣＭ識別子で選別されるＣＭを挿入し、
各ＣＭ毎に送信したＣＭ数を累計する送信数計数ステップと、
前記番組要求受信ステップで受信された選択ＣＭ識別子に従い、各ＣＭがＣＭ全体で選択されたＣＭ選択割合を計算するＣＭ選択割合計算ステップとを有し、
このＣＭ選択割合は、ＣＭを提供している広告主に報告されることを特徴とする請求項１４記載の番組送受信方法。
【請求項１７】
ネットワーク上に存在するＣＭ情報管理サイトの番組送受信方法であって、
有料番組サイトに番組名を含む認証情報を送信する認証情報送信ステップと、
前記有料番組サイトから認証許可通知と有料番組とを、又は、認証拒否通知を受信する受信ステップと、
受信された有料番組を記憶する有料番組記憶ステップと、
記憶された有料番組にＣＭを挿入したＣＭ付有料番組を編集する編集ステップと、
編集されたＣＭ付有料番組を要求元の視聴者端末装置に送信するＣＭ付有料番組送信ステップとを有することを特徴とするＣＭ情報管理サイトの番組送受信方法。
【請求項１８】
有料番組にＣＭを挿入して、視聴者端末装置にＣＭ付有料番組を送信するＣＭ情報管理サイトに、
視聴者端末装置から有料番組の番組名を列記した有料番組一覧表の送信要求を受信する有料番組一覧表要求受信ステップと、
要求元の視聴者端末装置に有料番組一覧表を送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップとを実行させるための番組送受信プログラム。
【請求項１９】
有料番組にＣＭを挿入して、視聴者端末装置にＣＭ付有料番組を送信するＣＭ情報管理サイトに、
視聴者端末装置から有料番組の番組名を列記した有料番組一覧表の送信要求を受信する有料番組一覧表要求受信ステップと、
要求元の視聴者端末装置に有料番組一覧表を送信する有料番組一覧表送信ステップと、
視聴者端末装置から有料番組一覧表に列記された番組名の番組要求を受信する番組要求受信ステップと、
有料番組サイトに番組要求された有料番組の要求を送信する有料番組要求送信ステップと、
有料番組サイトから有料番組を受信する有料番組受信ステップと、
受信した有料番組に記憶している１以上のＣＭを挿入するＣＭ挿入ステップと、
ＣＭの挿入されたＣＭ付有料番組を要求元の視聴者端末装置に送信するＣＭ付有料番組送信ステップとを実行させるためのプログラムを記録したコンピュータ読み取り可能な記録媒体。
【請求項２０】
ＣＭ付有料番組を受信して再生する各視聴者端末装置であって、
ＣＭ情報管理サイトに番組一覧表を要求する番組一覧表要求手段と、
要求先のＣＭ情報管理サイトから番組一覧表とＣＭ一覧表とを受信する一覧表受信手段と、
前記番組一覧表の内容に従い複数の有料番組の番組名を表示した番組選択画面をモニタに表示し、番組名が選択された後に、前記ＣＭ一覧表の内容に従い複数のＣＭのＣＭ識別子を表示したＣＭ選択画面をモニタに表示する表示制御手段と、
選択された番組名と選択された選択ＣＭ識別子とともに有料番組の送信要求をＣＭ情報管理サイトに送信する送信要求送信手段と、
ＣＭ付有料番組を受信する受信手段と、
受信したＣＭ付有料番組を再生出力する再生手段とを備えることを特徴とする視聴者端末装置。
【請求項２１】
前記ＣＭ一覧表には、ＣＭ識別子に対応して、ＣＭの選択で与えられるポイント数が記録されており、
前記表示制御手段は、ＣＭ選択画面に表示したＣＭ識別子に対応してポイント数を表示し、
前記モニタに表示された複数のＣＭ識別子からＣＭ識別子の選択を受け付けるＣＭ選択受付手段と、
前記ＣＭ識別子が選択されたとき、対応するポイント数を順次合計し、所定ポイント以上になったとき、有料番組の送信要求を許可する送信要求許可手段とを更に備えることを特徴とする請求項２０記載の視聴者端末装置。
【請求項２２】
前記モニタに表示された複数のＣＭ識別子からＣＭ識別子の選択を受け付けるＣＭ選択受付手段と、
前記ＣＭ識別子が所定数選択されたとき、有料番組の送信要求を許可する送信要求許可手段とを更に備えることを特徴とする請求項２０記載の視聴者端末装置。
【請求項２３】
前記ＣＭ一覧表には、ＣＭ識別子に対応してＣＭの内容を示唆する付加情報が記録されており、
前記表示制御手段は、
前記ＣＭ選択画面にＣＭ識別子に対応して付加情報を表示することを特徴とする請求項２０記載の視聴者端末装置。
【請求項２４】
番組一覧表の受信に替え、他のＣＭ情報管理サイトの識別情報を受信すると、識別情報で識別されるＣＭ情報管理サイトに番組一覧表の送信要求をすることを特徴とする請求項２０記載の視聴者端末装置。
【請求項２５】
有料番組を提供する有料番組サイトであって、
各ＣＭ情報管理サイトに有料番組を送信するのが適当か否かを判断する各ＣＭ情報管理サイトの認証情報からなる認証許諾情報を記憶している認証許諾情報記憶手段と、
前記ＣＭ情報管理サイトから認証情報を受信する認証情報受信手段と、
受信した前記認証情報が前記認証許諾情報記憶手段に記憶されている認証情報と適合するか否かを判定し、適合するときは有料番組の提供を許可し、適合しないときは有料番組の提供を拒否する許否判定手段とを備えることを特徴とする有料番組サイト。
【請求項２６】
前記認証許諾情報記憶手段に記憶されている認証情報には、配信形態が含まれ、
前記拒否判定手段は、配信形態によって認証情報が適合するか否かを判定することを特徴とする請求項２５記載の有料番組サイト。
【請求項２７】
前記認証情報には、配信形態を含み、
前記配信形態は、視聴者端末装置の機器の種類により決定されることを特徴とする請求項２５記載の有料番組サイト。
【請求項２８】
前記認証許諾情報記憶手段に記憶されている認証情報には、配信先情報が含まれ、配信先情報には、有料番組が配信される視聴者端末装置の地域情報及び／又は視聴者情報が記録されており、
前記許否判定手段は、配信先情報によって認証情報が適合するか否かを判定することを特徴とする請求項２５記載の有料番組サイト。
【請求項２９】
前記認証許諾情報記憶手段に記憶されている認証情報には、有料番組に挿入されるＣＭの識別子又はジャンルが記録されており、
前記許否判定手段は、挿入されるＣＭの識別子又はジャンルによって認証情報が適合するか否かを判定することを特徴とする請求項２５記載の有料番組サイト。
【手続補正３】
【補正対象書類名】明細書
【補正対象項目名】０００７
【補正方法】変更
【補正の内容】
【０００７】
【課題を解決するための手段】
上記課題を解決するため、本発明は、有料番組にＣＭを挿入して、視聴者端末装置にＣＭ付有料番組を送信する番組送受信システムであって、有料番組を提供する有料番組サイトと、ネットワーク上に存在し、各視聴者端末装置の要求に応じて有料番組の一覧表を提示し、前記有料番組サイトから視聴者端末装置で指定された有料番組の提供を受け、ＣＭを挿入したＣＭ付有料番組を要求元の視聴者端末装置に送信するＣＭ情報管理サイトと、前記ＣＭ情報管理サイトに有料番組の一覧表を要求し、有料番組の一覧表に含まれる有料番組を指定して当該ＣＭ情報管理サイトに要求し、ＣＭ付有料番組を受信して再生する複数の視聴者端末装置とを備えることとしている。
【手続補正４】
【補正対象書類名】明細書
【補正対象項目名】０１０６
【補正方法】変更
【補正の内容】
【０１０６】
【発明の効果】
以上説明したように、本発明は、有料番組にＣＭを挿入して、視聴者端末装置にＣＭ付有料番組を送信する番組送受信システムであって、有料番組を提供する有料番組サイトと、ネットワーク上に存在し、各視聴者端末装置の要求に応じて有料番組の一覧表を提示し、前記有料番組サイトから視聴者端末装置で指定された有料番組の提供を受け、ＣＭを挿入したＣＭ付有料番組を要求元の視聴者端末装置に送信するＣＭ情報管理サイトと、前記ＣＭ情報管理サイトに有料番組の一覧表を要求し、有料番組の一覧表に含まれる有料番組を指定して当該ＣＭ情報管理サイトに要求し、ＣＭ付有料番組を受信して再生する複数の視聴者端末装置とを備えることとしている。
【手続補正５】
【補正対象書類名】明細書
【補正対象項目名】０１０７
【補正方法】変更
【補正の内容】
【０１０７】
このような構成によって、ＣＭ情報管理サイトは、視聴者端末装置にＣＭ付有料番組を送信することができる。
また、本発明は、ネットワーク上に存在するＣＭ情報管理サイトであって、有料番組の番組識別子を列記した番組一覧表を記憶する番組一覧表記憶手段と、複数のＣＭを記憶しているＣＭ記憶手段と、各視聴者端末装置から番組一覧表の送信要求を受信すると、前記番組一覧表記憶手段から番組一覧表を読み出し、要求元の視聴者端末装置に送信する番組一覧表送信手段と、各視聴者端末装置から前記番組一覧表に記載の番組識別子を指定した有料番組の送信要求を受信する送信要求受信手段と、有料番組サイトに送信要求された有料番組の送信要求をする有料番組送信要求手段と、前記有料番組サイトから有料番組を受信する受信手段と、受信した有料番組に前記ＣＭ記憶手段に記憶されている１以上のＣＭを読み出し、有料番組に挿入したＣＭ付有料番組を編集する編集手段と、ＣＭ付有料番組を要求元の視聴者端末装置に送信する送信手段とを備えることとしている。このような構成によって、視聴者端末装置にＣＭ付有料番組を送信することができる。
【手続補正６】
【補正対象書類名】明細書
【補正対象項目名】０１０８
【補正方法】変更
【補正の内容】
【０１０８】
また、各有料番組、各ＣＭ毎に送信した有料番組数とＣＭ数とを累計する送信数計数手段と、有料番組に挿入可能な前記ＣＭ記憶手段に記憶されているＣＭのＣＭ識別子を列記したＣＭ一覧表を記憶しているＣＭ一覧表記憶手段とを更に備え、前記番組一覧表送信手段は、番組一覧表を読み出すとともに前記ＣＭ一覧表記憶手段からＣＭ一覧表を読み出し、番組一覧表とともにＣＭ一覧表を要求元の視聴者端末装置に送信し、前記送信要求受信手段は、番組名の指定とともに前記ＣＭ一覧表から選択された選択ＣＭ識別子も受信し、前記編集手段は、前記送信要求受信手段で受信された選択ＣＭ識別子のＣＭを前記ＣＭ記憶手段から読み出し、有料番組に挿入したＣＭ付有料番組を編集することとしている。
【手続補正７】
【補正対象書類名】明細書
【補正対象項目名】０１０９
【補正方法】変更
【補正の内容】
【０１０９】
このような構成によって、ＣＭ付有料番組を視聴者端末装置に提供するＣＭ情報管理サイトでは、視聴者端末装置に提供した有料番組数やＣＭ数を把握することができ、有料番組に挿入されるＣＭを視聴者の嗜好に応じて選択できるようにしている。これにより視聴者は、有料番組の視聴料の割り引きとともにＣＭを楽しむことができる。
また、前記ＣＭ一覧表記憶手段には、ＣＭ識別子に対応して、ＣＭの選択で与えられるポイント数が記録されていることとしている。
【手続補正８】
【補正対象書類名】明細書
【補正対象項目名】０１１０
【補正方法】変更
【補正の内容】
【０１１０】
このような構成によって、視聴者は所定ポイントになるまでＣＭを選択することで有料番組を廉価に視聴することができる。また、ＣＭの広告主は、ＣＭのポイント数を大きくすることで、ＣＭの選択を促進することができ、宣伝効果を高めることができる。
また、各ＣＭの単位ポイント当りの基本料金と当該ＣＭに対応したポイント数と、当該ＣＭの送信されたＣＭ数とに応じた広告料金を計算する広告料金計算手段を更に備えることとしている。
【手続補正９】
【補正対象書類名】明細書
【補正対象項目名】０１１１
【補正方法】変更
【補正の内容】
【０１１１】
このような構成によって、広告主は、宣伝効果を高める代償として、高額の広告料を負担することになり、広告主間の衡平を図ることができる。
【手続補正１０】
【補正対象書類名】明細書
【補正対象項目名】０１１２
【補正方法】変更
【補正の内容】
【０１１２】
また、前記ＣＭ一覧表記憶手段には、ＣＭ識別子に対応してＣＭの内容を示唆する付加情報が記憶されていることとしている。
【手続補正１１】
【補正対象書類名】明細書
【補正対象項目名】０１１３
【補正方法】変更
【補正の内容】
【０１１３】
このような構成によって、視聴者は、ＣＭ内容を予想してＣＭを選択することができる。
また、前記送信要求受信手段で受信された選択ＣＭ識別子に従い、各ＣＭがＣＭ全体で選択されたＣＭ選択割合を計算するＣＭ選択割合計算手段を更に備え、このＣＭ選択割合は、ＣＭを提供している広告主に報告されることとしている。
【手続補正１２】
【補正対象書類名】明細書
【補正対象項目名】０１１４
【補正方法】変更
【補正の内容】
【０１１４】
このような構成によって、視聴者が好んで選択するＣＭの動向がわかるので、広告主は、ＣＭ製作の参考とすることができる。
また、更に、ネットワーク上に他のＣＭ情報管理サイトが存在し、前記番組一覧表送信手段は、各視聴者端末装置から受信した番組一覧表の送信要求が所定数を超えると、番組一覧表の送信に替え、他のＣＭ情報管理サイトの識別情報を要求元の視聴者端末装置に送信する要求分散部を有することとしている。
【手続補正１３】
【補正対象書類名】明細書
【補正対象項目名】０１１５
【補正方法】変更
【補正の内容】
【０１１５】
このような構成によって、確実に有料番組の要求が分散され、有料番組の要求
の錯綜が防止される。
また、各有料番組の送信１回当りの使用料と送信された当該有料番組数とに応じた番組使用料を、各ＣＭの送信１回当りの広告料と送信された当該ＣＭ数とに応じた広告料をそれぞれ計算する料金計算手段を更に備えることとしている。
【手続補正１４】
【補正対象書類名】明細書
【補正対象項目名】０１１６
【補正方法】変更
【補正の内容】
【０１１６】
このような構成によって、現実に送信された有料番組数や、ＣＭ数に応じて有料番組の使用料やＣＭの広告料が計算されるので、有料番組の著作権やＣＭの広告主間の衡平が図られる。
また、前記編集手段は、前記有料番組の識別情報と、有料番組に挿入したＣＭ毎の識別情報とそのＣＭ数とをＣＭ付有料番組のヘッダ情報として生成するヘッダ情報生成部を有し、前記送信数計数手段は、前記送信手段で送信されるＣＭ付有料番組のヘッダ情報を読み出すヘッダ情報読出部と、読み出した各識別情報毎の有料番組数とＣＭ数とを累計する累計部とを有することとしている。
【手続補正１５】
【補正対象書類名】明細書
【補正対象項目名】０１１７
【補正方法】変更
【補正の内容】
【０１１７】
このような構成によって、視聴者端末装置に送信された有料番組数や、ＣＭ数を容易に計算することができる。
また、ネットワーク上に存在するＣＭ情報管理サイトであって、有料番組サイトに番組名を含む認証情報を送信する認証情報送信手段と、前記有料番組サイトから認証許可通知と有料番組とを、又は、認証拒否通知を受信する受信手段と、受信された有料番組を記憶する有料番組記憶手段と、記憶された有料番組にＣＭを挿入したＣＭ付有料番組を編集する編集手段と、編集されたＣＭ付有料番組を要求元の視聴者端末装置に送信するＣＭ付有料番組送信手段とを備えることとしている。
【手続補正１６】
【補正対象書類名】明細書
【補正対象項目名】０１１８
【補正方法】変更
【補正の内容】
【０１１８】
このような構成によって、有料番組の著作権を有する有料番組サイトは、不正
なＣＭ情報管理サイトへの有料番組の提供を防止することができる。
また、前記ＣＭ付有料番組送信手段でＣＭ付有料番組が視聴者端末装置に送信された直後に、前記有料番組記憶手段に記憶されている有料番組及びＣＭ付有料番組を消去する消去手段を更に備えることとしている。
【手続補正１７】
【補正対象書類名】明細書
【補正対象項目名】０１１９
【補正方法】変更
【補正の内容】
【０１１９】
このような構成によって、ＣＭ情報管理サイトには、要求されている有料番組以外が残っていないので、不正に有料番組やＣＭ付有料番組を利用されることを防止できる。
【手続補正１８】
【補正対象書類名】明細書
【補正対象項目名】０１２０
【補正方法】変更
【補正の内容】
【０１２０】
また、前記認証情報には、配信形態を含み、前記配信形態は、視聴者端末装置の機器の種類により決定され、前記ＣＭ付有料番組送信手段は、配信形態に従い要求元の視聴者端末装置にＣＭ付有料番組を送信することとしている。
【手続補正１９】
【補正対象書類名】明細書
【補正対象項目名】０１２１
【補正方法】変更
【補正の内容】
【０１２１】
このような構成によって、視聴者端末装置の機器の種類に応じた配信形態でＣＭ付有料番組を送信することができる。
【手続補正２０】
【補正対象書類名】明細書
【補正対象項目名】０１２２
【補正方法】削除
【補正の内容】
【手続補正２１】
【補正対象書類名】明細書
【補正対象項目名】０１２３
【補正方法】変更
【補正の内容】
【０１２３】
また、本発明は、有料番組にＣＭを挿入して、視聴者端末装置にＣＭ付有料番組を送信するＣＭ情報管理サイトの番組送受信方法であって、視聴者端末装置から有料番組の番組名を列記した有料番組一覧表の送信要求を受信する有料番組一覧表要求受信ステップと、要求元の視聴者端末装置に有料番組一覧表を送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと、受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを有することとしている。
【手続補正２２】
【補正対象書類名】明細書
【補正対象項目名】０１２６
【補正方法】変更
【補正の内容】
【０１２６】
このような方法によって、広告主は、ＣＭ選択割合を見て、視聴者が好んで選択するＣＭの動向を知ることができる。
また、ネットワーク上に存在するＣＭ情報管理サイトの番組送受信方法であって、有料番組サイトに番組名を含む認証情報を送信する認証情報送信ステップと、前記有料番組サイトから認証許可通知と有料番組とを、又は、認証拒否通知を受信する受信ステップと、受信された有料番組を記憶する有料番組記憶ステップと、記憶された有料番組にＣＭを挿入したＣＭ付有料番組を編集する編集ステップと、編集されたＣＭ付有料番組を要求元の視聴者端末装置に送信するＣＭ付有料番組送信ステップとを有することとしている。
【手続補正２３】
【補正対象書類名】明細書
【補正対象項目名】０１２７
【補正方法】変更
【補正の内容】
【０１２７】
このような方法によって、有料番組の著作権を有する有料番組サイトは、不正なＣＭ情報管理サイトへの有料番組の提供を防止することができる。
また、本発明は、  有料番組にＣＭを挿入して、視聴者端末装置にＣＭ付有料番組を送信するＣＭ情報管理サイトに、視聴者端末装置から有料番組の番組名を列記した有料番組一覧表の送信要求を受信する有料番組一覧表要求受信ステップと、要求元の視聴者端末装置に有料番組一覧表を送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと、受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを実行させるための番組送受信プログラムとしている。
【手続補正２４】
【補正対象書類名】明細書
【補正対象項目名】０１２８
【補正方法】変更
【補正の内容】
【０１２８】
同様に、有料番組にＣＭを挿入して、視聴者端末装置にＣＭ付有料番組を送信するＣＭ情報管理サイトに、視聴者端末装置から有料番組の番組名を列記した有料番組一覧表の送信要求を受信する有料番組一覧表要求受信ステップと、要求元の視聴者端末装置に有料番組一覧表を送信する有料番組一覧表送信ステップと、視聴者端末装置から有料番組一覧表に列記された番組名の番組要求を受信する番組要求受信ステップと、有料番組サイトに番組要求された有料番組の要求を送信する有料番組要求送信ステップと、有料番組サイトから有料番組を受信する有料番組受信ステップと、受信した有料番組に記憶している１以上のＣＭを挿入するＣＭ挿入ステップと、ＣＭの挿入されたＣＭ付有料番組を要求元の視聴者端末装置に送信するＣＭ付有料番組送信ステップとを実行させるためのプログラムを記録したコンピュータ読み取り可能な記録媒体としている
【手続補正２５】
【補正対象書類名】明細書
【補正対象項目名】０１２９
【補正方法】変更
【補正の内容】
【０１２９】
このようなプログラムや記録媒体を番組送受信システムに用いることによって、各ＣＭ情報管理サイトに有料番組の要求が分散されるので、有料番組の要求の錯綜が防止される。
また、本発明は、ＣＭ付有料番組を受信して再生する各視聴者端末装置であって、ＣＭ情報管理サイトに番組一覧表を要求する番組一覧表要求手段と、要求先のＣＭ情報管理サイトから番組一覧表とＣＭ一覧表とを受信する一覧表受信手段と、前記番組一覧表の内容に従い複数の有料番組の番組名を表示した番組選択画面をモニタに表示し、番組名が選択された後に、前記ＣＭ一覧表の内容に従い複数のＣＭのＣＭ識別子を表示したＣＭ選択画面をモニタに表示する表示制御手段と、選択された番組名と選択された選択ＣＭ識別子とともに有料番組の送信要求をＣＭ情報管理サイトに送信する送信要求送信手段と、ＣＭ付有料番組を受信する受信手段と、受信したＣＭ付有料番組を再生出力する再生手段とを備えることとしている。このような構成によって、有料番組に挿入されるＣＭを視聴者の嗜好に応じて選択できるようにしている。これにより視聴者は、有料番組の視聴料の割り引きとともにＣＭを楽しむことができる。
【手続補正２６】
【補正対象書類名】明細書
【補正対象項目名】０１３０
【補正方法】変更
【補正の内容】
【０１３０】
また、前記ＣＭ一覧表には、ＣＭ識別子に対応して、ＣＭの選択で与えられるポイント数が記録されており、前記表示制御手段は、ＣＭ選択画面に表示したＣＭ識別子に対応してポイント数を表示し、前記モニタに表示された複数のＣＭ識別子からＣＭ識別子の選択を受け付けるＣＭ選択受付手段と、前記ＣＭ識別子が選択されたとき、対応するポイント数を順次合計し、所定ポイント以上になったとき、有料番組の送信要求を許可する送信要求許可手段とを更に備えることとしている。
このような構成によって、視聴者は所定ポイントになるまでＣＭを選択することで有料番組を廉価に視聴することができる。また、ＣＭの広告主は、ＣＭのポイント数を大きくすることで、ＣＭの選択を促進することができ、宣伝効果を高めることができる。
また、前記モニタに表示された複数のＣＭ識別子からＣＭ識別子の選択を受け付けるＣＭ選択受付手段と、前記ＣＭ識別子が所定数選択されたとき、有料番組の送信要求を許可する送信要求許可手段とを更に備えることとしている。
このような構成によって、視聴者は、好みのＣＭを所定数選ぶことによって、
有料番組を廉価に視聴することができる。
【手続補正２７】
【補正対象書類名】明細書
【補正対象項目名】０１３１
【補正方法】変更
【補正の内容】
【０１３１】
また、前記ＣＭ一覧表には、ＣＭ識別子に対応してＣＭの内容を示唆する付加情報が記録されており、前記表示制御手段は、前記ＣＭ選択画面にＣＭ識別子に対応して付加情報を表示することとしている。
このような構成によって、視聴者は、ＣＭ内容を予想してＣＭを選択することができる。
また、番組一覧表の受信に替え、他のＣＭ情報管理サイトの識別情報を受信すると、識別情報で識別されるＣＭ情報管理サイトに番組一覧表の送信要求をすることとしている。
このような構成によって、確実に有料番組の要求が分散され、有料番組の要求の錯綜が防止される。
【手続補正２８】
【補正対象書類名】明細書
【補正対象項目名】０１３２
【補正方法】変更
【補正の内容】
【０１３２】
また、本発明は、有料番組を提供する有料番組サイトであって、各ＣＭ情報管理サイトに有料番組を送信するのが適当か否かを判断する各ＣＭ情報管理サイトの認証情報からなる認証許諾情報を記憶している認証許諾情報記憶手段と、前記ＣＭ情報管理サイトから認証情報を受信する認証情報受信手段と、受信した前記認証情報が前記認証許諾情報記憶手段に記憶されている認証情報と適合するか否かを判定し、適合するときは有料番組の提供を許可し、適合しないときは有料番組の提供を拒否する許否判定手段とを備えることとしている。
このような構成によって、有料番組の著作権を有する有料番組サイトは、不正なＣＭ情報管理サイトへの有料番組の提供を防止することができる。
【手続補正２９】
【補正対象書類名】明細書
【補正対象項目名】０１３３
【補正方法】変更
【補正の内容】
【０１３３】
また、前記認証許諾情報記憶手段に記憶されている認証情報には、配信形態が含まれ、前記拒否判定手段は、配信形態によって認証情報が適合するか否かを判定することとしている。
このような構成によって、視聴者端末装置の機器の種類に応じて配信形態が決定されているので、視聴者端末装置の機器の種類によっては、有料番組の提供を拒否することができる。
【手続補正３０】
【補正対象書類名】明細書
【補正対象項目名】０１３４
【補正方法】変更
【補正の内容】
【０１３４】
また、前記認証情報には、配信形態を含み、前記配信形態は、視聴者端末装置の機器の種類により決定されることとしている。
このような構成によって、視聴者端末装置の機器の種類に応じた配信形態でＣＭ付有料番組を送信することができる。
また、前記認証許諾情報記憶手段に記憶されている認証情報には、配信先情報が含まれ、配信先情報には、有料番組が配信される視聴者端末装置の地域情報及び／又は視聴者情報が記録されており、前記許否判定手段は、配信先情報によって認証情報が適合するか否かを判定することとしている。
このような構成によって、視聴者端末装置が設けられた地域によって又は視聴者端末装置のユーザによって、有料番組を提供するか否かを決定することができる。
【手続補正３１】
【補正対象書類名】明細書
【補正対象項目名】０１３５
【補正方法】変更
【補正の内容】
【０１３５】
また、前記認証許諾情報記憶手段に記憶されている認証情報には、有料番組に挿入されるＣＭの識別子又はジャンルが記録されており、前記許否判定手段は、挿入されるＣＭの識別子又はジャンルによって認証情報が適合するか否かを判定することとしている。
このような構成によって、有料番組に最適なＣＭが挿入されるとき、有料番組を提供するようにし、有料番組にそぐわないＣＭが挿入されるとき、有料番組の提供を拒否することがきる。